(57)【要約】【課題】換気設備の入／切と風量切替の操作が１つの操作ハンドルで行え、且つ、換気設備が不用意に停止されるのを防止した常時換気設備制御用スイッチを提供する。【解決手段】操作ハンドルを押操作すると、押操作している間だけ操作信号を出力する押釦スイッチＳＷ１と、押釦スイッチＳＷ１から入力される操作信号に応じて換気扇の運転状態を制御する制御ＩＣ１００とを備え、制御ＩＣ１００は、押釦スイッチＳＷ１から時間幅が所定時間よりも短い操作信号が入力される毎に換気扇の風量を強又は弱に交互に切り替えるとともに、時間幅が所定時間以上の操作信号が入力されると換気扇を停止させ、さらに換気扇が停止している状態で時間幅が所定時間よりも短い操作信号が入力されると常時換気設備を弱風運転させており、１つの操作ハンドルだけで風量の切替操作とオン／オフ操作とが行えるとともに、換気扇が不用意に停止されるのを防止できる。【選択図】図１
2005172403.tif 000002
【特許請求の範囲】
【請求項１】
風量を強弱２段階に切り替える機能を有して室内の空気を定常的に換気する常時換気設備のオン／オフおよび風量切替を行う常時換気設備制御用スイッチであって、
操作部を押操作すると、押操作している間だけ操作信号を出力する操作スイッチ部と、操作スイッチ部から入力される操作信号に応じて常時換気設備の運転状態を制御する制御部とを備え、当該制御部は、操作スイッチ部から時間幅が所定時間よりも短い操作信号が入力される毎に常時換気設備の風量を強又は弱に交互に切り替えるとともに、時間幅が所定時間以上の操作信号が入力されると常時換気設備を停止させ、さらに常時換気設備が停止している状態で時間幅が所定時間よりも短い操作信号が入力されると常時換気設備を弱風運転させることを特徴とする常時換気設備制御用スイッチ。
【請求項２】
常時換気設備が強風運転している状態で所定の強動作継続時間を限時する強時間限時タイマを設けるとともに、強時間限時タイマによる限時動作が終了した時点で制御部が常時換気設備の風量を強から弱へ自動的に切り替えるタイマ制御を有効にするか又は無効にするかの切替操作と、タイマ制御の有効時に強動作継続時間を複数の設定値の中から選択する選択操作とを行うための強タイマ設定部を設けたことを特徴とする請求項１記載の常時換気設備制御用スイッチ。
【請求項３】
常時換気設備の使用用途をトイレ用途又は浴室用途の何れかに選択的に切り替える用途別モード切替部を設け、制御部は、用途別モード切替部によりトイレ用途が選択された場合、弱風運転中に操作部が操作されて操作信号が入力されると風量を強に切り替えるとともに、強風運転中に所定のタイミングで強時間限時タイマによる限時動作を開始させて、限時動作が終了した時点で風量を弱に切り替え、且つ、用途別モード切替部により浴室用途が選択された場合は、弱風運転中又は停止中の何れかの状態で所定のトリガ信号を受けて常時換気設備を強風運転させるとともに、強時間限時タイマによる限時動作を開始させ、限時動作が終了した時点で風量を弱に切り替えており、上記複数の設定値としてトイレ用途及び浴室用途に対応した時間を設定することを特徴とする請求項２記載の常時換気設備制御用スイッチ。
【請求項４】
上記トリガ信号とは、操作部の操作に応じて操作スイッチ部から制御部に入力される操作信号であることを特徴とする請求項３記載の常時換気設備制御用スイッチ。
【請求項５】
制御部は、強時間限時タイマによる限時動作中に操作部が押操作されて操作信号が入力されると、強時間限時タイマによる限時動作を停止させるとともに、常時換気設備の風量を弱に切り替えることを特徴とする請求項３又は４記載の常時換気設備制御用スイッチ。
【請求項６】
弱風運転中に操作部が押操作されて操作信号が入力された時点から所定の停止時間を限時する停止タイマと、停止タイマによるタイマ制御を有効にするか又は無効にするかを設定する停止タイマ設定部とを設け、用途別モード切替部により浴室用途が選択され、且つ、停止タイマ設定部によりタイマ制御が有効に設定された場合、制御部は、停止タイマの限時動作中に常時換気設備を停止させることを特徴とする請求項３乃至５の何れか１つに記載の常時換気設備制御用スイッチ。
【請求項７】
停止タイマは停止時間の限時動作を終了すると上記トリガ信号を発生することを特徴とする請求項６記載の常時換気設備制御用スイッチ。
【請求項８】
上記トリガ信号とは、停止タイマによる限時動作中に操作部の操作に応じて操作スイッチ部から制御部に入力される操作信号であり、この操作信号が入力されると、制御部は、停止タイマによる限時動作を停止させて、常時換気設備を強風運転させるとともに、強時間限時タイマの限時動作を開始させることを特徴とする請求項６記載の常時換気設備制御用スイッチ。
【請求項９】
強タイマ設定部によりタイマ制御を無効にした場合、制御部は、停止タイマの限時動作が終了した時点で、常時換気設備を弱風運転させることを特徴とする請求項６記載の常時換気設備制御用スイッチ。
【請求項１０】
上記所定のタイミングとは、強風運転中に操作部が押操作されて、操作スイッチ部から制御部に操作信号が入力された時点であることを特徴とする請求項３記載の常時換気設備制御用スイッチ。
【請求項１１】
制御部によりオン／オフがそれぞれ制御される２つの開閉制御素子を有し、２つの開閉制御素子の一端が共通接続される第１の負荷接続端子と、２つの開閉制御素子の他端がそれぞれ接続される第２及び第３の負荷接続端子とを設けるとともに、常時換気設備として、共通端子と強入力端子と弱入力端子とを有して、共通端子と強入力端子との間に電源が接続されると強風運転し、共通端子と弱入力端子との間に電源が接続されると弱風運転するような強弱タップ切替型の換気扇、又は、２つの電源接続端子とリレー入力端子とを有して、２つの電源接続端子間に電源が接続されると運転し、リレー入力端子に電源の一端が接続されるか否かで風量の強／弱が反転するような内蔵リレー切替型の換気扇の何れかを選択する負荷選択部を設け、制御部は、負荷選択部の選択結果に応じて常時換気設備を所望の運転状態に制御するように２つの開閉素子のオン／オフの組み合わせを変更することを特徴とする請求項１乃至１０の何れか１つに記載の常時換気設備制御用スイッチ。
【請求項１２】
制御部によりオン／オフがそれぞれ制御される２つの開閉制御素子を有し、２つの開閉制御素子の一端が共通接続される第１の負荷接続端子と、２つの開閉制御素子の他端がそれぞれ接続される第２及び第３の負荷接続端子とを設け、常時換気設備として、共通端子と強入力端子と弱入力端子とを有して、共通端子と強入力端子との間に電源が接続されると強風運転し、共通端子と弱入力端子との間に電源が接続されると弱風運転するような強弱タップ切替型の換気扇を用い、共通端子を電源を介して常時換気設備の第１の負荷接続端子に、強入力端子又は弱入力端子の内の一方を第２の負荷接続端子、他方を第３の負荷接続端子に接続する場合に、強風運転時にオン、弱風運転時にオフさせる開閉制御素子と、強風運転時にオフ、弱風運転時にオンさせる開閉制御素子とを切り替える切替部を設けたことを特徴とする請求項１乃至１０の何れか１つに記載の常時換気設備制御用スイッチ。
【請求項１３】
制御部によって点灯状態が制御され、常時換気設備の運転状態を表示するため２色の表示灯を備え、常時換気設備の強風運転時と弱風運転時とで点灯させる表示灯の色を異ならせたことを特徴とする請求項１乃至１２の何れか１つに記載の常時換気設備制御用スイッチ。
【請求項１４】
制御部は、タイマ制御時は表示灯を点滅させるとともに、タイマ制御時以外の運転時は表示灯を連続点灯させることを特徴とする請求項１３記載の常時換気設備制御用スイッチ。
【発明の詳細な説明】
【技術分野】
【０００１】
本発明は、浴室やトイレなどの換気のために用いられる換気設備を常時微少風量で動作させて２４時間換気を行う常時換気設備の制御用スイッチに関するものである。
【背景技術】
【０００２】
この種の換気設備制御用スイッチとしては、例えば特許文献１に示されるように、浴室やトイレなどに設置される換気扇のオン／オフを制御するためのものが提供されており、このスイッチでは、操作ボタンを押してから所定の遅れ時間が経過するまでの間、換気扇を動作させていた。
【０００３】
ところで、シックハウス症候群への対策として、居室内のホルムアルデヒドの濃度を所定の指針値以下とするために、近年、室内の空気を常時換気する常時換気システムの設置が建築基準法で義務づけられたのであるが、２４時間微少風量で換気を行う常時換気設備として、例えばトイレに設置された換気扇を利用し、この換気扇の風量を弱にして常時運転させるとともに、トイレの使用中と使用後の一定期間は風量を強にして運転させた常時換気システムが提供されている。図２４はこのような常時換気設備の制御用スイッチの外観図であり、この制御用スイッチは、換気扇を入／切するための操作ハンドル５１と、風量切替を行うための操作ハンドル５２とを備えている。なお図２４中の５３は照明器具をオン／オフするためのスイッチの操作ハンドルである。
【特許文献１】特開２００１−１２６５９９号公報
【発明の開示】
【発明が解決しようとする課題】
【０００４】
上述した常時換気設備制御用スイッチでは、普段はあまり使われない入／切操作用の操作ハンドル５１と、使用頻度の高い風量切替用の操作ハンドル５２とが同じ寸法、形状に形成されており、滅多に使われない操作ハンドル５１に比べて、常用の操作ハンドル５２の操作性を高めるような工夫が施されておらず、また入／切操作用と風量切替用の２つの操作ハンドル５１，５２を設けているため、ハンドル１個当たりの大きさが小さくなるか、または個々のハンドルの大きさを大きくしたために全体が大型化するという問題があった。
【０００５】
また常時換気システムでは換気設備が不用意に停止されないことが望ましいが、上述の常時換気設備制御用スイッチでは、換気扇がオフしている状態で操作ハンドル５１を１回押操作すると、換気扇がオフからオンに切り替わり、さらにもう１回押操作すると、換気扇がオンからオフに切り替わるようになっており、操作ハンドル５１を用いて換気扇をオフからオンに切り替える操作と、オンからオフに切り替える操作とが同様の操作であるから、換気扇が不用意にオフされてしまうという問題もあった。
【０００６】
本発明は上記問題点に鑑みて為されたものであり、その目的とするところは、換気設備の入／切と風量切替の操作が１つの操作ハンドルで行え、且つ、換気設備が不用意に停止されるのを防止した常時換気設備制御用スイッチを提供することにある。
【課題を解決するための手段】
【０００７】
上記目的を達成するために、請求項１の発明は、風量を強弱２段階に切り替える機能を有して室内の空気を定常的に換気する常時換気設備のオン／オフおよび風量切替を行う常時換気設備制御用スイッチであって、操作部を押操作すると、押操作している間だけ操作信号を出力する操作スイッチ部と、操作スイッチ部から入力される操作信号に応じて常時換気設備の運転状態を制御する制御部とを備え、当該制御部は、操作スイッチ部から時間幅が所定時間よりも短い操作信号が入力される毎に常時換気設備の風量を強又は弱に交互に切り替えるとともに、時間幅が所定時間以上の操作信号が入力されると常時換気設備を停止させ、さらに常時換気設備が停止している状態で時間幅が所定時間よりも短い操作信号が入力されると常時換気設備を弱風運転させることを特徴とする。
【０００８】
請求項２の発明は、請求項１の発明において、常時換気設備が強風運転している状態で所定の強動作継続時間を限時する強時間限時タイマを設けるとともに、強時間限時タイマによる限時動作が終了した時点で制御部が常時換気設備の風量を強から弱へ自動的に切り替えるタイマ制御を有効にするか又は無効にするかの切替操作と、タイマ制御の有効時に強動作継続時間を複数の設定値の中から選択する選択操作とを行うための強タイマ設定部を設けたことを特徴とする。
【０００９】
請求項３の発明は、請求項２の発明において、常時換気設備の使用用途をトイレ用途又は浴室用途の何れかに選択的に切り替える用途別モード切替部を設け、制御部は、用途別モード切替部によりトイレ用途が選択された場合、弱風運転中に操作部が操作されて操作信号が入力されると風量を強に切り替えるとともに、強風運転中に所定のタイミングで強時間限時タイマによる限時動作を開始させて、限時動作が終了した時点で風量を弱に切り替え、且つ、用途別モード切替部により浴室用途が選択された場合は、弱風運転中又は停止中の何れかの状態で所定のトリガ信号を受けて常時換気設備を強風運転させるとともに、強時間限時タイマによる限時動作を開始させ、限時動作が終了した時点で風量を弱に切り替えており、上記複数の設定値としてトイレ用途及び浴室用途に対応した時間を設定することを特徴とする。
【００１０】
請求項４の発明は、請求項３の発明において、上記トリガ信号とは、操作部の操作に応じて操作スイッチ部から制御部に入力される操作信号であることを特徴とする。
【００１１】
請求項５の発明は、請求項３又は４の発明において、制御部は、強時間限時タイマによる限時動作中に操作部が押操作されて操作信号が入力されると、強時間限時タイマによる限時動作を停止させるとともに、常時換気設備の風量を弱に切り替えることを特徴とする。
【００１２】
請求項６の発明は、請求項３乃至５の何れか１つの発明において、弱風運転中に操作部が押操作されて操作信号が入力された時点から所定の停止時間を限時する停止タイマと、停止タイマによるタイマ制御を有効にするか又は無効にするかを設定する停止タイマ設定部とを設け、用途別モード切替部により浴室用途が選択され、且つ、停止タイマ設定部によりタイマ制御が有効に設定された場合、制御部は、停止タイマの限時動作中に常時換気設備を停止させることを特徴とする。
【００１３】
請求項７の発明は、請求項６の発明において、停止タイマは停止時間の限時動作を終了すると上記トリガ信号を発生することを特徴とする。
【００１４】
請求項８の発明は、請求項６の発明において、上記トリガ信号とは、停止タイマによる限時動作中に操作部の操作に応じて操作スイッチ部から制御部に入力される操作信号であり、この操作信号が入力されると、制御部は、停止タイマによる限時動作を停止させて、常時換気設備を強風運転させるとともに、強時間限時タイマの限時動作を開始させることを特徴とする。
【００１５】
請求項９の発明は、請求項６の発明において、強タイマ設定部によりタイマ制御を無効にした場合、制御部は、停止タイマの限時動作が終了した時点で、常時換気設備を弱風運転させることを特徴とする。
【００１６】
請求項１０の発明は、請求項３の発明において、上記所定のタイミングとは、強風運転中に操作部が押操作されて、操作スイッチ部から制御部に操作信号が入力された時点であることを特徴とする。
【００１７】
請求項１１の発明は、請求項１乃至１０の何れか１つの発明において、制御部によりオン／オフがそれぞれ制御される２つの開閉制御素子を有し、２つの開閉制御素子の一端が共通接続される第１の負荷接続端子と、２つの開閉制御素子の他端がそれぞれ接続される第２及び第３の負荷接続端子とを設けるとともに、常時換気設備として、共通端子と強入力端子と弱入力端子とを有して、共通端子と強入力端子との間に電源が接続されると強風運転し、共通端子と弱入力端子との間に電源が接続されると弱風運転するような強弱タップ切替型の換気扇、又は、２つの電源接続端子とリレー入力端子とを有して、２つの電源接続端子間に電源が接続されると運転し、リレー入力端子に電源の一端が接続されるか否かで風量の強／弱が反転するような内蔵リレー切替型の換気扇の何れかを選択する負荷選択部を設け、制御部は、負荷選択部の選択結果に応じて常時換気設備を所望の運転状態に制御するように２つの開閉素子のオン／オフの組み合わせを変更することを特徴とする。
【００１８】
請求項１２の発明は、請求項１乃至１０の何れか１つの発明において、制御部によりオン／オフがそれぞれ制御される２つの開閉制御素子を有し、２つの開閉制御素子の一端が共通接続される第１の負荷接続端子と、２つの開閉制御素子の他端がそれぞれ接続される第２及び第３の負荷接続端子とを設け、常時換気設備として、共通端子と強入力端子と弱入力端子とを有して、共通端子と強入力端子との間に電源が接続されると強風運転し、共通端子と弱入力端子との間に電源が接続されると弱風運転するような強弱タップ切替型の換気扇を用い、共通端子を電源を介して常時換気設備の第１の負荷接続端子に、強入力端子又は弱入力端子の内の一方を第２の負荷接続端子、他方を第３の負荷接続端子に接続する場合に、強風運転時にオン、弱風運転時にオフさせる開閉制御素子と、強風運転時にオフ、弱風運転時にオンさせる開閉制御素子とを切り替える切替部を設けたことを特徴とする。
【００１９】
請求項１３の発明は、請求項１乃至１２の何れか１つのの発明において、制御部によって点灯状態が制御され、常時換気設備の運転状態を表示するため２色の表示灯を備え、常時換気設備の強風運転時と弱風運転時とで点灯させる表示灯の色を異ならせたことを特徴とする。
【００２０】
請求項１４の発明は、請求項１３の発明において、制御部は、タイマ制御時は表示灯を点滅させるとともに、タイマ制御時以外の運転時は表示灯を連続点灯させることを特徴とする。
【発明の効果】
【００２１】
以上説明したように、請求項１の発明によれば、操作スイッチ部の操作部を所定時間以上押操作すれば、制御部が常時換気設備を停止させ、操作部を所定時間よりも短い時間だけ押操作すれば、制御部が常時換気設備の風量を強又は弱に交互に切り替えるので、１つの操作部で常時換気設備のオン／オフと風量切替の操作を行うことができ、操作部の数が１つで済むので、従来のようにオン／オフのための操作部と風量切替のための操作部とを別々に設ける場合に比べて、操作部を大型化して操作性を高めることができ、また操作部の大きさを従来と同等にすれば、操作部の数を減らすことでスイッチ全体の大きさを小型にできるという効果がある。また常時換気設備を停止させるためには、操作部を一定時間以上押操作しなければならないので、常時換気設備が不用意に停止されるのを防止できるという効果もある。
【００２２】
請求項２の発明では、１つの強タイマ設定部で、強時間限時タイマによるタイマ制御を有効にするか又は無効にするかの切替操作と、タイマ制御の有効時には強動作継続時間の選択操作とを行うことができ、強タイマ設定部によりタイマ制御を有効にすれば、強風運転を強動作継続時間だけ継続した時点で常時換気設備の風量を自動的に弱に戻すことができる。
【００２３】
請求項３の発明では、用途別モード切替部によりトイレ用途或いは浴室用途を選択することで、トイレの換気或いは浴室の換気に合わせた動作を行わせることができるので、使い勝手が向上し、且つ、用途毎に常時換気設備制御用スイッチを用意してスイッチを使い分ける場合に比べ、商品の品種を少なくできるという効果がある。
【００２４】
請求項４の発明では、操作部の操作に応じて操作スイッチ部から制御部に入力される操作信号を受けて、常時換気設備の風量を強に切り替えるとともに、強時間限時タイマによる限時動作を開始させることができ、例えば浴室用途で使用する場合に入浴終了時にユーザが操作部を１回操作すると、常時換気設備の風量が強に切り替えられて、強風運転を強動作継続時間行った後に風量を自動的に弱に戻すことができる。
【００２５】
請求項５の発明では、強時間限時タイマの限時動作中に操作部を押操作することで、強時間限時タイマによる限時動作を停止させて、即座に風量を弱に戻すことができるから、使い勝手が向上する。
【００２６】
請求項６の発明では、寒冷地などでは入浴中に常時換気設備を停止させる場合があり、操作部を操作して常時換気設備を手動で停止させた場合は、その後常時換気設備を弱で運転させるのを忘れて、常時換気設備が停止したままとなる可能性があるが、停止タイマ設定部によりタイマ制御を有効にして、入浴時に操作スイッチ部の操作部を押操作することで、停止タイマが限時動作を開始し、停止タイマの限時動作中は常時換気設備が停止させられるから、入浴中に常時換気設備を停止させることで寒い思いをしなくて済み、また操作をし忘れて常時換気設備が停止したままとなるのを防止できる。
【００２７】
請求項７の発明では、浴室用途で使用する場合に常時換気設備が弱風運転している状態から操作スイッチ部の操作部を１回だけ操作すると、停止タイマが停止時間の限時動作を開始して、その限時動作中は常時換気設備が停止させられ、さらに停止タイマによる限時動作が終了した時点から常時換気設備が強風運転させられるとともに、強時間限時タイマが限時動作を開始し、この限時動作が終了した時点で常時換気設備の風量が強から弱に切り替えられるので、１回の操作だけで一連の換気動作を行わせることができ、使い勝手が向上する。また自動的に一連の換気動作が行われるから、ユーザが操作を忘れて、常時換気設備が停止したままとなったり、強風運転し続けるのを防止できる。
【００２８】
請求項８の発明では、停止タイマによる限時動作中に入浴が終わった場合には、操作スイッチ部の操作部を押操作することで、停止タイマによる限時動作を強制的に停止させ、即座に常時換気設備を強風運転させることができるから、浴室の湿気を早期に取り除くことができ、使い勝手が向上する。
【００２９】
請求項９の発明では、強タイマ設定部によりタイマ制御を無効にすることで、強風運転の期間をとばして、常時換気設備の風量を弱に切り替えることができる。
【００３０】
請求項１０の発明では、トイレ用途で使用する場合に常時換気設備が弱風運転している状態から操作スイッチ部の操作部を１回操作すると、常時換気設備の風量を強に切り替え、さらにもう１回操作すると、そのタイミングで強時間限時タイマによる限時動作が開始させられ、その後強動作継続時間が経過した時点で風量を自動的に弱に戻すことができ、トイレの使用中と使用後の一定期間、常時換気設備の風量を強とすることによってトイレ内の臭気を早期に排出することができる。
【００３１】
請求項１１の発明では、負荷選択部を用いて強弱タップ切替型の換気扇、又は、内蔵リレー切替型の換気扇の何れかを選択すると、選択された換気扇の種類に応じて、２つの開閉制御素子のオン／オフの組み合わせが変更されるので、１つのスイッチで複数種類の換気扇に対応することができ、商品の種類を減らすことができる。
【００３２】
請求項１２の発明では、換気扇の強入力端子及び弱入力端子をそれぞれ第２、第３の負荷接続端子の何れかに接続する際に誤接続した場合でも、切替部を用いて強風運転時にオン、弱風運転時にオフさせる開閉制御素子と、強風運転時にオフ、弱風運転時にオンさせる開閉制御素子とを切り替えることで、配線を手直しすることなく、正常に動作させることができる。
【００３３】
請求項１３の発明では、点灯している表示灯の発光色から強風運転時か弱風運転時かを容易に確認できる。
【００３４】
請求項１４の発明では、表示灯が連続点灯しているか、或いは点滅しているかで、タイマ制御時か否かを容易に確認できる。
【発明を実施するための最良の形態】
【００３５】
（実施形態１）
以下本発明の実施形態１を図面に基づいて説明する。先ず本実施形態の常時換気設備制御用スイッチＡの回路構成を図１及び図２に基づいて説明する。なお図１は制御ブロックの回路図、図２は負荷開閉制御ブロックおよび電源回路ブロックの回路図である。
【００３６】
本回路では、第１の負荷接続端子（以下端子と略称す）Ｔａと第２の負荷接続端子（以下端子と略称す）Ｔｂとの間に、ＺＮＲのようなサージ吸収素子Ｚ１、フィルタ用のコンデンサＣ１を夫々接続するとともに、フィルタ用のインダクタＬ１を介して開閉制御素子としてのトライアックＴＲＣ１を接続し、トライアックＴＲＣ１のＴ２端子とＴ１端子との間には、ダイオードブリッジからなる整流器ＤＢ１を介して抵抗Ｒ１及びコンデンサＣ２の並列回路を接続してある。また端子Ｔａと第３の負荷接続端子（以下端子と略称す）Ｔｃとの間にも、ＺＮＲのようなサージ吸収素子Ｚ２、フィルタ用のコンデンサＣ３を夫々接続するとともに、フィルタ用のインダクタＬ１を介して開閉制御素子としてのトライアックＴＲＣ２を接続し、トライアックＴＲＣ２のＴ２端子とＴ１端子との間には、ダイオードブリッジからなる整流器ＤＢ２を介して抵抗Ｒ２及びコンデンサＣ４の並列回路を接続してある。ここで、抵抗Ｒ１及びコンデンサＣ２の並列回路はトライアックＴＲＣ１のゲートＧとＴ１端子との間に、抵抗Ｒ２及びコンデンサＣ４の並列回路はトライアックＴＲＣ２のゲートＧとＴ１端子との間にそれぞれ接続されており、トライアックＴＲＣ１，ＴＲＣ２のターンオン／ターンオフは制御部としての制御ＩＣ１００によって制御されている。
【００３７】
ところで、本実施形態の常時換気設備制御用スイッチＡは、風量を強弱２段階に切り替える機能を有して室内の空気を定常的に換気する常時換気設備のオン／オフおよび風量切替を行うものであり、常時換気設備としては、共通端子と強入力端子と弱入力端子とを有して、共通端子と強入力端子との間に電源が接続されると強風運転し、共通端子と弱入力端子との間に電源が接続されると弱風運転するような強弱タップ切替型の換気扇、又は、２つの電源接続端子とリレー入力端子とを有して、２つの電源接続端子間に電源が接続されると運転し、リレー入力端子に電源の一端が接続されるか否かで風量の強／弱が反転するような内蔵リレー切替型の換気扇の何れかが選択的に使用される。
【００３８】
図１５（ｂ）は常時換気設備として強弱タップ切替型の換気扇ＲＬ１を用いる場合の配線図であり、換気扇ＲＬ１の共通端子と端子Ｔａとの間に交流電源ＡＣを接続するとともに、換気扇ＲＬ１の弱入力端子を端子Ｔｂに、強入力端子を端子Ｔｃにそれぞれ接続してある。強弱タップ切替型の場合には図１５（ｃ）に示すようにトライアックＴＲＣ１がターンオン、トライアックＴＲＣ２がターンオフすると、換気扇ＲＬ１の共通端子と弱入力端子との間に交流電源ＡＣが接続されて、換気扇ＲＬ１は風量が弱の状態で動作（弱風運転）し、トライアックＴＲＣ１がターンオフ、トライアックＴＲＣ２がターンオンすると、換気扇ＲＬ１の共通端子と強入力端子との間に交流電源ＡＣが接続されて、換気扇ＲＬ１は風量が強の状態で動作（強風運転）する。
【００３９】
また図１６（ｂ）は常時換気設備として内蔵リレー切替型（リレーを励磁すると強風運転から弱風運転に切り替わるタイプ）の換気扇ＲＬ２を用いる場合の配線図であり、換気扇ＲＬ２の一方の電源接続端子と端子Ｔａとの間に交流電源ＡＣを接続するとともに、換気扇ＲＬ２の他方の電源接続端子を端子Ｔｂに、リレー入力端子を端子Ｔｃにそれぞれ接続してある。ここでトライアックＴＲＣ２がターンオフし、換気扇ＲＬ２の内蔵リレーＲＹが励磁されていない場合には、リレー接点ｒｙが強入力端子側に切り替えられているので、図１６（ｃ）に示すようにトライアックＴＲＣ１のみがターンオンすると、強入力端子に交流電源ＡＣが接続されて、換気扇ＲＬ２は強風運転する。一方トライアックＴＲＣ１がターンオンしている状態で、トライアックＴＲＣ２がターンオンすると、リレーＲＹが励磁されてリレー接点ｒｙが弱入力端子側に切り替えられるので、弱入力端子に交流電源ＡＣが接続されて換気扇ＲＬ２は弱風運転する。
【００４０】
また図１７（ｂ）は常時換気設備として内蔵リレー切替型（リレーを励磁すると弱風運転から強風運転に切り替わるタイプ）の換気扇ＲＬ２を用いる場合の配線図であり、換気扇ＲＬ２の一方の電源接続端子と端子Ｔａとの間に交流電源ＡＣを接続するとともに、換気扇ＲＬ２の他方の電源接続端子を端子Ｔｂに、リレー入力端子を端子Ｔｃにそれぞれ接続してある。ここでトライアックＴＲＣ２がターンオフし、換気扇ＲＬ２の内蔵リレーＲＹが励磁されていない場合には、リレー接点ｒｙが弱入力端子側に切り替えられているので、図１７（ｃ）に示すようにトライアックＴＲＣ１のみがターンオンすると、弱入力端子に交流電源ＡＣが接続されて、換気扇ＲＬ２は弱風運転する。一方トライアックＴＲＣ１がターンオンしている状態で、トライアックＴＲＣ２がターンオンすると、リレーＲＹが励磁されてリレー接点ｒｙが強入力端子側に切り替えられるので、強入力端子に交流電源ＡＣが接続されて換気扇ＲＬ２は強風運転する。
【００４１】
このように、換気扇を弱風運転又は強風運転させる場合にターンオンさせるトライアックＴＲＣ１，ＴＲＣ２の組み合わせは換気扇の種類（強弱タップ切替型、内蔵リレー切替型）に応じて異なるので、後述するように換気扇の種類を選択するための切替スイッチＳＷ５（負荷選択部）を設けてあり、強弱タップ切替型の換気扇ＲＬ１の場合は図１５（ａ）に示すように切替スイッチＳＷ５の摘み２８を「Ａ（タップ切替）」の位置に、内蔵リレー切替型（リレー励磁時に弱風運転）の換気扇ＲＬ２の場合は図１６（ａ）に示すように切替スイッチＳＷ５の摘み２８を「Ｂ（ＲＹ切替１）」の位置に、内蔵リレー切替型（リレー励磁時に強風運転）の換気扇ＲＬ２の場合は図１７（ａ）に示すように切替スイッチＳＷ５の摘み２８を「Ｃ（ＲＹ切替２）」の位置にそれぞれ切り替えている。そして、制御ＩＣ１００は切替スイッチＳＷ５の切替位置に応じて換気扇を弱風運転又は強風運転する際のトライアックＴＲＣ１，ＴＲＣ２のオン／オフの組み合わせを変更しており、種類の異なる換気扇が接続された場合でも所望の動作を行わせることができるので、１つのスイッチで複数種類の換気扇に対応でき、スイッチの品種を少なくできる。
【００４２】
次に電源回路ブロックの構成について説明する。整流器ＤＢ１の直流出力端子間には抵抗Ｒ３及びツェナダイオードＺＤ１からなる電源回路１０１が接続されており、ツェナダイオードＺＤ１により得られた直流電圧は、更に３端子レギュレータＩＣ１０２により所定電圧に降圧安定化され、この安定化された電圧Ｖ２は制御ＩＣ１００等の動作電源電圧として供される。
【００４３】
また整流器ＤＢ１の直流出力端子間には、トライアックＴＲＣ１をターンオンさせるためのサイリスタＳＣＲ１が接続され、サイリスタＳＣＲ１のゲートとカソードとの間には抵抗Ｒ４及びコンデンサＣ５の並列回路が接続される。サイリスタＳＣＲ１のアノードには、べース・エミッタ間に抵抗Ｒ５が接続されたＰＮＰ型トランジスタＱ１のエミッタが接続されており、トランジスタＱ１のコレクタは、ツェナダイオードＺＤ２を介してサイリスタＳＣＲ１のゲートに接続されるとともに、ダイオードＤ１を介して３端子レギュレータＩＣ１０２の電圧入力端子に接続される。また、トランジスタＱ１のベースは抵抗Ｒ６を介してＮＰＮ型トランジスタＱ２のコレクタに接続される。トランジスタＱ２のエミッタは回路のグランドに接続されており、トランジスタＱ２のベースはＮＰＮ型トランジスタＱ３のコレクタに接続されている。またトランジスタＱ３のエミッタは回路のグランドに接続され、トランジスタＱ３のベースは制御ＩＣ１００の制御出力端子Ｐ１に接続されている。
【００４４】
また整流器ＤＢ２の直流出力端子間には、トライアックＴＲＣ２をターンオンさせるためのサイリスタＳＣＲ２が接続され、サイリスタＳＣＲ２のゲートとカソードとの間には抵抗Ｒ７及びコンデンサＣ６の並列回路が接続される。サイリスタＳＣＲ２のアノードには、べース・エミッタ間に抵抗Ｒ８が接続されたＰＮＰ型トランジスタＱ４のエミッタが接続されており、トランジスタＱ４のコレクタは、ツェナダイオードＺＤ３を介してサイリスタＳＣＲ２のゲートに接続されるとともに、ダイオードＤ２を介して３端子レギュレータＩＣ１０２の電圧入力端子に接続される。また、トランジスタＱ４のベースは抵抗Ｒ９を介してＮＰＮ型トランジスタＱ５のコレクタに接続される。トランジスタＱ５のエミッタは回路のグランドに接続されており、トランジスタＱ５のベースはＮＰＮ型トランジスタＱ６のコレクタに接続されている。またトランジスタＱ６のエミッタは回路のグランドに接続され、トランジスタＱ６のベースは制御ＩＣ１００の制御出力端子Ｐ２に接続されている。
【００４５】
ここで、トランジスタＱ３（Ｑ６）のコレクタは電源電圧にプルアップされており、制御ＩＣ１００の制御出力端子Ｐ１（Ｐ２）の信号レベルがハイレベルになると、トランジスタＱ３（Ｑ６）がオンし、トランジスタＱ２（Ｑ５）がオフする。トランジスタＱ２（Ｑ５）がオフすると、トランジスタＱ１（Ｑ４）がオフするので、３端子レギュレータＩＣ１０２にはツェナダイオードＺＤ１により定電圧化された電源が供給される。この時、トライアックＴＲＣ１（ＴＲＣ２）のゲートにはターンオンするのに必要なだけの電流が流れないので、トライアックＴＲＣ１（ＴＲＣ２）はオフしている。
【００４６】
一方、制御ＩＣ１００の制御出力端子Ｐ１（Ｐ２）の信号レベルがローレベルになると、トランジスタＱ３（Ｑ６）がオフし、トランジスタＱ２（Ｑ５）がオンする。トランジスタＱ２（Ｑ５）がオンするとトランジスタＱ１（Ｑ４）がオンし、整流器ＤＢ１（ＤＢ２）からトランジスタＱ１（Ｑ４）及びダイオードＤ１（Ｄ２）を介して３端子レギュレータＩＣ１０２に電源が供給され、３端子レギュレータＩＣ１０２が制御ＩＣ１００等の動作電源を生成する。この時、ツェナダイオードＺＤ２（ＺＤ３）のカソードの電位がブレーク・ダウン電圧よりも高くなって、ツェナダイオードＺＤ２（ＺＤ３）に逆方向電流が流れ、ツェナダイオードＺＤ２（ＺＤ３）を介してサイリスタＳＣＲ１（ＳＣＲ２）のゲートに電流が流れて、サイリスタＳＣＲ１（ＳＣＲ２）が導通するので、交流電源ＡＣの半サイクル毎にトライアックＴＲＣ１（ＴＲＣ２）のゲートにターンオンするのに必要な電流が流れ、トライアックＴＲＣ１（ＴＲＣ２）がターンオンする。ここに、サイリスタＳＣＲ１，ＳＣＲ２、トライアックＱ１〜Ｑ６、ツェナダイオードＺＤ２，ＺＤ３などでトライアックＴＲＣ１，ＴＲＣ２をターンオン／ターンオフさせる負荷開閉制御ブロックが構成される。
【００４７】
ここで制御ＩＣ１００は、操作スイッチ部たる押釦スイッチＳＷ１からのスイッチ入力に応じて換気扇ＲＬ１，ＲＬ２をオン／オフする機能と、換気扇ＲＬ１，ＲＬ２の風量を強弱２段階に切り替える機能とを有しており、所定の動作シーケンスにしたがってサイリスタＳＣＲ１，ＳＣＲ２をターンオンさせるタイミングを制御する。すなわち制御ＩＣ１００の操作入力端子Ｐ１０は押釦スイッチＳＷ１を介してグランドに接続されるようになっており、押釦スイッチＳＷ１が押し操作されると操作入力端子Ｐ１０の信号レベルがローレベルに立ち下がるので、端子Ｐ１０の信号レベルに応じて制御動作を行う。
【００４８】
また制御ＩＣ１００は、後述の強動作継続時間を設定するために例えば４つの時間設定端子Ｐ１１〜Ｐ１４を備えており、時間設定端子Ｐ１１〜Ｐ１４の信号レベルに応じて強動作継続時間が切り換えられる。すなわち、４ビットのロータリスイッチからなる切替スイッチＳＷ２（強タイマ設定部）の切替操作によって、時間設定端子Ｐ１１〜Ｐ１４の信号レベルの組み合わせが１６通りに変化することで、強動作継続時間が０〜６時間の間で１６通りに設定されるのである。なお切替スイッチＳＷ２により強動作継続時間を０に設定した場合には強動作タイマによるタイマ制御を無効にするように設定される。また強動作継続時間の設定値として、トイレ用途に適した比較的短い時間（数十秒〜数分程度）や浴室用途に適した比較的長い時間（数十分〜数時間程度）が設定されているので、トイレ用途或いは浴室用途を選択した場合にはそれぞれの用途に適した強動作継続時間を選択することができる。
【００４９】
さらに制御ＩＣ１００は、換気扇の使用用途（浴室用途、トイレ用途）に応じた動作モードを設定するために例えば２つの動作切換端子Ｐ１５，Ｐ１６を備えている。これらの端子Ｐ１５，Ｐ１６は２ポジションのスライドスイッチよりなる切替スイッチＳＷ３（用途別モード切替部）を介してグランドに接続されるようになっており、切替スイッチＳＷ３の切替操作に応じて端子Ｐ１５，Ｐ１６の信号レベルが変化することで、動作モードが浴室用途に適した動作モード（入浴中は弱風運転又は一時停止させ、入浴後に一定期間強風運転させた後、弱風運転に戻すモード）、又は、トイレ用途に適した動作モード（トイレの使用中は強風運転させ、使用後の一定期間強風運転を継続した後、弱風運転に戻すモード）の何れかに設定される。
【００５０】
また更に制御ＩＣ１００は、入浴中に停止タイマを動作させて、停止タイマの限時動作中は換気扇を停止させるタイマ制御を有効にするか否かの選択操作を行うために例えば２つの停止タイマ設定端子Ｐ１７，Ｐ１８を備えている。これらの端子Ｐ１７，Ｐ１８は２ポジションのスライドスイッチよりなる切替スイッチＳＷ４（停止タイマ設定部）を介してグランドに接続されるようになっており、切替スイッチＳＷ４の切替操作に応じて端子Ｐ１７，Ｐ１８の信号レベルが変化することで、停止タイマによるタイマ制御を有効にするか又は無効にするかの切替操作、及び、停止時間の時間設定操作が行われる。
【００５１】
また制御ＩＣ１００は、負荷（換気扇）の種類（強弱タップ切替型、内蔵リレー切替型）を選択するために２つの負荷設定端子Ｐ１９，Ｐ２０を備えている。これらの端子Ｐ１９，Ｐ２０は３ポジションのスライドスイッチよりなる上記の切替スイッチＳＷ５を介してグランドに接続されるようになっており、切替スイッチＳＷ５の切替操作に応じて端子Ｐ１９，Ｐ２０の信号レベルが変化することで、換気扇の種類が３通りに切替設定される。
【００５２】
また制御ＩＣ１００の点灯出力端子Ｐ３，Ｐ４には、それぞれ、強風運転表示のための赤色の発光ダイオードＬＤ１と、弱風運転表示のための橙色の発光ダイオードＬＤ２とが接続され、制御ＩＣ１００が点灯出力端子Ｐ３，Ｐ４をローレベルに設定することで、表示灯としての発光ダイオードＬＤ１，ＬＤ２に電流が流れて発光する。ここで制御ＩＣ１００は、強風運転中に赤色の発光ダイオードＬＤ１を連続点灯させ、弱風運転中に橙色の発光ダイオードＬＤ２を連続点灯させており、表示灯の色を異ならせることで、強風運転中か弱風運転中かを容易に確認できる。また制御ＩＣ１００は、強タイマ制御により強風運転させている間は赤色の発光ダイオードＬＤ１を点滅させ、停止タイマ制御により停止させている間は橙色の発光ダイオードＬＤ２を点滅させているので、発光ダイオードＬＤ１，ＬＤ２が連続点灯しているか、或いは点滅しているかでタイマ制御中か連続運転中（タイマ制御時以外の運転状態）かを容易に確認できる。
【００５３】
尚、図１中の１０３は電源投入時に制御ＩＣ１００をリセットするためのリセット回路、１０４は制御ＩＣ１００の基準クロック発生回路である。
【００５４】
次にこの常時換気設備制御用スイッチＡの構造を図１９〜図２２に基づいて説明する。尚、以下の説明では特に断りがないかぎり、図２２に示す向きにおいて上下左右の方向を規定し、図２２の正面を前面として説明を行う。
【００５５】
常時換気設備制御用スイッチの器体１０は直方体状であって、前面開口した合成樹脂製のボディ１１と、ボディ１１の前面側に結合される後面開口した合成樹脂性のカバー１２とにより形成されている。すなわち、カバー１２の後端縁からは後方に向かって組立片１２ａが延設され、組立片１２ａに設けた組立孔１２ｂがボディ１１の上下両面に形成してある組立突起１１ａに係合することによりボディ１１とカバー１２とが結合されている。
【００５６】
器体１０の左右方向の寸法は、埋込配線器具用の取付枠４０（図２４参照）の窓孔の左右方向（短手方向）の寸法に略等しく、器体１０の前部を形成するカバー１２の左右両側面には、取付枠４０の窓孔を囲む両側片に設けた器具取付孔（図示せず）に係合可能な取付爪１３が一対ずつ突設してあり、取付爪１３が取付枠４０の器具取付孔に係合することによって器体１０が取付枠４０に保持されるようにしてある。なおカバー１２の左右方向における一方の側壁（右側壁）には、一対の取付爪１３が突設された部位の上下両側部に後端が開放された２本の切り込み溝１４が前後方向に沿って形成されており、２本の切り込み溝１４の間の部位は厚み方向に可撓性を有する撓み片１５を形成している。カバー１２内において撓み片１５の裏面側には空所が形成され、撓み片１５をカバー１２の内側に撓ませることによって、撓み片１５に設けられた一対の取付爪１３をカバー１２の側面から弾性的に後退させることが可能となっている。
【００５７】
而してカバー１２の左側壁に設けた取付爪１３を取付枠４０の器具取付孔に挿入するとともに、右側壁に設けた取付爪１３をカバー１２の側面から後退させるようにして取付枠４０の窓孔に器体１０を挿入すれば、右側壁の取付爪１３が器具取付孔に挿入されて器体１０が取付枠４０に保持される。また撓み片１５をカバー１２の内側に押し込むようにすれば、撓み片１５に設けた取付爪１３が器具取付孔から抜け、取付枠４０から器体１０を取り外すことができる。なお撓み片１５の後端部外側面には撓み片１５の押し込みを容易にするために押突起１５ａが突設されている。
【００５８】
上述の取付枠４０は、単位寸法（１個モジュール寸法）の器体を３個まで取着可能な取付枠であって、常時換気設備制御用スイッチＡの器体１０は、２個モジュール寸法に形成されており、図４（ａ）に示すように１個モジュール寸法に形成された他の配線器具Ｂと並設することができる。なお取付枠４０は壁面などの造営面に取り付けられ、器体１０の後部は造営面に埋設される。また取付枠４０の前面側には、図４（ａ）に示すように取付枠４０の窓孔よりも長寸かつ幅広の窓孔４２を備える化粧プレート４１が重ね合わせて配置され、この化粧プレート４１の窓孔４２から常時換気設備制御用スイッチＡや配線器具Ｂの機能面が露出するようになっている。
【００５９】
またボディ１１の内部には、上述した図２に示す負荷開閉制御ブロックおよび電源回路ブロックの構成部品や外部電線を接続するための複数の端子などを実装したプリント配線板からなる回路基板１６が収納されている。ここに回路基板１６に実装される個々の端子は、ボディ１１の後壁に形成された電線挿入孔（図示せず）を通して器体１０内に挿入される外部電線を導電性を有する板ばねからなる鎖錠ばねのばね力によって接続保持する速結端子で構成してある。なお複数の端子としては上述した３つの負荷接続端子Ｔａ〜Ｔｃなどがある。
【００６０】
一方カバー１２には図１に示す制御回路ブロックの構成部品などを実装したプリント配線板からなる回路基板１７が収納されており、この回路基板１７に実装された押釦スイッチＳＷ１の押釦や切替スイッチＳＷ２〜ＳＷ５の操作摘みは、それぞれ、カバー１２の前壁に貫設された窓孔１８ａ〜１８ｅを通してカバー１２の前面（つまり器体１０の前面）に露出する。すなわち器体１０前面の右半分において、上下方向の略中央に形成された丸孔状の窓孔１８ａを通して押釦スイッチＳＷ１の押釦１９が露出し、窓孔１８ａの上側に形成された丸孔状の窓孔１８ｂを通して切替スイッチＳＷ２の操作子に被せた摘み２０が露出し、窓孔１８ａの下側に形成された角孔状の窓孔１８ｃ，１８ｄを通してスライドスイッチよりなる切替スイッチＳＷ３，ＳＷ４の操作子が露出し、さらに窓孔１８ｂの左側に形成された窓孔１８ｅを通してスライドスイッチよりなる切替スイッチＳＷ５の操作子（摘み２８）が露出するようになっている。またカバー１２前面の左側部には、回路基板１７に実装された２色の発光ダイオードＬＤ１，ＬＤ２に対向する部位に透孔２６が貫設されており、発光ダイオードＬＤ１，ＬＤ２の光は透孔２６を通して器体１０の外側に照射されるようになっている。なお回路基板１７と上述の回路基板１６とは図示しないリード線を介して電気的に接続されている。
【００６１】
また器体１０の前面側には、押釦スイッチＳＷ１を操作するための操作ハンドル３０（操作部）が器体１０の前面を覆う形で回動自在に取着されている。すなわちカバー１２の前面の左側端部には、操作ハンドル３０を枢着するために斜め前方に突出する一対の軸部２７が一体に突設してあり、一対の軸部２７を操作ハンドル３０後面の左端部に設けた軸受部（図示せず）に回動自在に嵌め込むことで、操作ハンドル３０が器体１０に対して回動自在に枢着されている。操作ハンドル３０の裏面には、カバー１２の前面に露出する押釦１９と対向する部位に押突起（図示せず）が突設されており、操作ハンドル３０の右側部を押操作すると、操作ハンドル３０が軸部２７を支点にして回動し、操作ハンドル３０の押突起によって押釦１９が押され、押釦スイッチＳＷ１がオンになる。一方、操作ハンドル３０を押操作する力を無くすと、操作ハンドル３０は押釦１９などの反力を受けて復帰位置に戻り、押釦１９を押す力がなくなって、押釦スイッチＳＷ１はオフになる。
【００６２】
操作ハンドル３０は合成樹脂により矩形板状に形成されており、左右方向の寸法が化粧プレート４１の窓孔４２の左右方向（短手方向）寸法と略同じ寸法に形成され、上下方向の寸法が窓孔４２の上下方向（長手方向）寸法の略３分の２の寸法に形成されている。操作ハンドル３０前面の右側部分には薄肉部３１が設けられ、この薄肉部３１にはカバー１２の窓孔１８ｂに対応する部位に摘み２０を挿通させる丸孔状の窓孔３２が貫設され、カバー１２の窓孔１８ｃ，１８ｄに対応する部位には切替スイッチＳＷ３，ＳＷ４の操作子に被せた摘み２１，２２を露出させる窓孔３３，３４が貫設されている。また操作ハンドル３０前面の左側部には前方に突出する突台部３５が設けられ、突台部３５の上下方向における略中央部には透光性を有する合成樹脂により形成された導光部材２３の突部２３ａが嵌め込まれる透孔３６が形成されており、器体１０内に収納された発光ダイオードＬＤ１，ＬＤ２からの光は、操作ハンドル３０に保持された導光部材２３を通して操作ハンドル３０の前面側に出射されるようになっている。このように切替スイッチＳＷ２〜ＳＷ４の摘み２０〜２２は操作ハンドル３０の前面側に露出しているので、用途切替の操作やタイマ設定の操作をユーザが容易に行えるようになっている。なお換気扇の種類を選択するための切替スイッチＳＷ５は操作ハンドル３０によって隠されており、ユーザによって不用意に操作されるのを防止している。
【００６３】
また操作ハンドル３０には、切替スイッチＳＷ２〜ＳＷ４の摘み２０〜２２が露出する薄肉部３１を開閉自在に覆うカバー３８が取り付けられる。カバー３８は左右方向及び上下方向の寸法が、それぞれ、薄肉部３１の左右方向及び上下方向の寸法と略同じ寸法に形成されており、カバー３８の左側部の上下両端部からは側方に向かって突出するアーム３９，３９が突設され、各アーム３９の先端部には突台部３５の上下両側面に設けた軸穴３７に枢支される軸３９ａが突設されている。而して突台部３５の軸穴３７にアーム３９の軸３９ａを軸支させることで、カバー３８が操作ハンドル３０に対して回動自在に軸支される。なおカバー３８の裏面には永久磁石２４が取着され、操作ハンドル３０の裏面には永久磁石２４と対向する部位に鉄片２５が取着されており、鉄片２５が永久磁石２４の磁力で吸着されることによって、カバー３８が閉じた状態を保持するようになっている。
【００６４】
次にこの常時換気設備制御用スイッチＡを用いた換気扇の制御動作について説明を行う。なお以下の説明では図１５（ａ）（ｂ）に示すように強弱タップ切替型の換気扇ＲＬ１を接続し、切替スイッチＳＷ５の摘み２８を「Ａ（タップ切替）」の位置に切り替えた場合の動作について説明を行う。
【００６５】
先ず切替スイッチＳＷ２の摘み２０を「切」の位置まで回して強タイマ制御を無効にするとともに、切替スイッチＳＷ４の摘み２２を「なし」の位置にスライドさせて停止タイマ制御を無効にした場合の動作について図３のタイムチャートを参照して説明する。
【００６６】
常時換気設備制御用スイッチＡは常時換気設備である換気扇ＲＬ１の動作を制御するものであり、常時は制御ＩＣ１００が制御出力端子Ｐ１の信号レベルをローレベル、制御出力端子Ｐ２の信号レベルをハイレベルにして、トライアックＴＲＣ１をターンオン、トライアックＴＲＣ２をターンオフさせており、換気扇ＲＬ１の弱入力端子と共通端子との間に交流電源ＡＣを接続して、換気扇ＲＬ１を弱風運転させている。
【００６７】
次に時刻ｔ１において操作ハンドル３０が短時間押操作されると、制御ＩＣ１００の操作入力端子Ｐ１０が押釦スイッチＳＷ１を介してグランドに接続され、操作入力端子Ｐ１０の信号レベルが所定時間（例えば２〜３秒）よりも短い時間だけローレベルとなるので、制御ＩＣ１００ではこの操作信号に応じて換気扇ＲＬ１の風量を強に切り替える制御を行う。すなわち制御ＩＣ１００は制御出力端子Ｐ１の信号レベルをハイレベル、制御出力端子Ｐ２の信号レベルをローレベルにして、トライアックＴＲＣ１をターンオフ、トライアックＴＲＣ２をターンオンさせており、換気扇ＲＬ１の強入力端子と共通端子との間に交流電源ＡＣを接続して、換気扇ＲＬ１を風量が強の状態で動作（強風運転）させる。そして操作ハンドル３０が短時間押操作されて、押釦スイッチＳＷ１から時間幅が所定時間よりも短い操作信号が制御ＩＣ１００の操作入力端子Ｐ１０に入力される毎に、制御ＩＣ１００は換気扇ＲＬ１の風量を弱又は強に交互に切り替えるような制御を行っている。
【００６８】
一方、時刻ｔ５において操作ハンドル３０を所定時間（例えば２〜３秒）以上押し続けた場合、操作入力端子Ｐ１０の信号レベルが所定時間以上ローレベルとなるので、制御ＩＣ１００ではこの操作信号に応じて換気扇ＲＬ１の動作を停止させる制御を行う。すなわち制御ＩＣ１００は、操作入力端子Ｐ１０の信号レベルがローレベルの状態が所定時間以上継続すると、時刻ｔ６において制御出力端子Ｐ１，Ｐ２の信号レベルを共にハイレベルにして、トライアックＴＲＣ１，ＴＲＣ２をターンオフさせており、換気扇ＲＬ１への電源供給を停止して、換気扇ＲＬ１を停止させる。
【００６９】
そして、換気扇ＲＬ１が停止した後の時刻ｔ７において操作ハンドル３０を短時間押操作すると、操作入力端子Ｐ１０の信号レベルが短時間ローレベルとなるので、制御ＩＣ１００ではこの操作信号に応じて換気扇ＲＬ１を弱風運転させる。すなわち制御ＩＣ１００は制御出力端子Ｐ１の信号レベルをハイレベル、制御出力端子Ｐ２の信号レベルをローレベルとし、トライアックＴＲＣ１をターンオフ、トライアックＴＲＣ２をターンオンさせて、換気扇ＲＬ１の弱入力端子と共通端子との間に交流電源ＡＣを接続し、換気扇ＲＬ１を弱風運転させる。
【００７０】
このように本実施形態では１つの操作ハンドル３０を用いて、操作ハンドル３０を所定時間以上押操作すれば、制御ＩＣ１００が換気扇ＲＬ１を停止させ、操作ハンドル３０を所定時間よりも短い時間だけ押操作すれば、制御ＩＣ１００が換気扇ＲＬの風量を強又は弱に交互に切り替えるので、１つの操作ハンドル３０で換気扇ＲＬ１のオン／オフと風量切替の操作を行うことができ、操作ハンドル３０の数が１つで済むので、図２３（ａ）に示す従来例のようにオン／オフのための操作ハンドル５１と風量切替のための操作ハンドル５２とを別々に設ける場合に比べて、操作ハンドル３０を大型化して操作性を高めることができ、また図２３（ｂ）に示すように操作ハンドル３０’の大きさを従来例と同等にすれば、操作ハンドル３０の数を減らすことでスイッチ全体の大きさを小型にできる。また換気扇ＲＬ１を停止させるためには、操作ハンドル３０を一定時間以上押操作しなければならないので、換気扇ＲＬ１が不用意に停止されるのを防止できる。
【００７１】
なお上記の説明では、切替スイッチＳＷ５により強弱タップ切替型の換気扇ＲＬ１が選択された場合の動作について説明を行ったが、切替スイッチＳＷ５の摘み２８を「Ｂ（ＲＹ切替１）」又は「Ｃ（ＲＹ切替２）」の位置にスライドさせて、内蔵リレー切替型の換気扇ＲＬ２を接続した場合の動作も、換気扇ＲＬ２を強又は弱風運転させる際のトライアックＴＲＣ１，ＴＲＣ２のオン／オフの組み合わせが異なるだけで、換気扇の動作としては同じなので、その説明は省略する。また以下の動作説明では説明を簡単にするために負荷開閉制御ブロックの動作説明は省略し、換気扇の動作状態のみに着目して説明する。
【００７２】
次に、この常時換気設備制御用スイッチＡを用いて浴室に設置された換気扇の動作を制御する場合の各種の動作を説明する。浴室用途で使用する場合は図４（ｃ）に示すように切替スイッチＳＷ３の摘み２１を「浴室換気」側にスライドさせており、制御ＩＣ１００は、切替スイッチＳＷ３の設定に応じて、常時は換気扇の風量を弱とし、入浴中は風量を弱にするか又は停止させるとともに、入浴後の一定期間は風量を強に切り替えて湿気を排出した後、風量を弱に戻すような制御を行う（このような動作モードを浴室モードという）。
【００７３】
先ず図４（ｂ）に示すように、切替スイッチＳＷ２の摘み２０を「３０分」の位置まで回して、強タイマ制御を有効にするとともに強動作継続時間を３０分に設定し、切替スイッチＳＷ４の摘み２２を「なし」の位置にスライドさせて停止タイマ制御を無効にした場合の動作について図５を参照して説明する。この場合は入浴中も換気扇が弱風運転しており、入浴を終えた時点（時刻ｔ８）でユーザが操作ハンドル３０を短時間押操作すると、制御ＩＣ１００は、押釦スイッチＳＷ１からの操作信号（トリガ信号）が入力され、このトリガ入力に応じて換気扇の風量を強に切り替えるとともに、内蔵する強タイマ（強時間限時タイマ）により切替スイッチＳＷ２で設定された強動作継続時間ＤＴ１の限時動作を開始させ、強タイマの限時動作が終了した時点（時刻ｔ９）において風量を弱に切り替える。このように弱風運転中にユーザが操作ハンドル３０を１回操作すると、換気扇ＲＬ１の風量を強に切り替え、その後強動作継続時間ＤＴ１が経過した時点で風量を自動的に弱に戻しているので、浴室内の湿気を早期に排出でき、また自動的に弱風運転に戻るので、風量を弱に切り替える操作を忘れて強風運転のままで動作するのを防止できる。なお図５中で斜線を施した期間は強タイマによるタイマ制御を行う期間を示しており、他のタイムチャートでも斜線を施した期間は強タイマによるタイマ制御中の期間を示している。
【００７４】
ここで、強動作継続時間ＤＴ１は比較的長い時間に設定されるので、強動作継続時間ＤＴ１が経過するよりも前に換気扇の風量を弱に戻したい場合があり、図６に示すように強タイマの限時動作中の時刻ｔ１０においてユーザが操作ハンドル３０を短時間押操作すると、制御ＩＣ１００は、押釦スイッチＳＷ１からの操作信号入力に応じて換気扇の風量を弱に戻しており、強動作継続時間ＤＴ１よりも短い期間ＤＴ２で換気扇の風量を強から弱に戻すことができるので、使い勝手が向上する。
【００７５】
次に図７（ｂ）（ｄ）に示すように、切替スイッチＳＷ２の摘み２０を「３０分」の位置まで回して、強タイマ制御を有効にするとともに強動作継続時間を３０分に設定し、切替スイッチＳＷ４の摘み２２を「あり」の位置にスライドさせて停止タイマ制御を有効にした場合の動作について図８を参照して説明する。常時は換気扇が弱風運転しており、入浴時（時刻ｔ１１）にユーザが操作ハンドル３０を短時間押操作すると、制御ＩＣ１００は、押釦スイッチＳＷ１からの操作信号入力に応じて換気扇を停止させるとともに、内蔵する停止タイマにより所定の停止時間ＤＴ３の限時動作を開始させる。そして停止タイマは限時動作を終了した時点（時刻ｔ１２）でトリガ信号を発生しており、このトリガ信号を受けて制御ＩＣ１００は換気扇を強風運転させて、入浴後の強制換気を行わせるとともに、内蔵する強タイマにより強動作継続時間ＤＴ１の限時動作を開始させ、強タイマの限時動作が終了した時点（時刻ｔ１３）において風量を弱に切り替える。このように停止タイマ制御を有効にすれば、入浴時に押釦スイッチＳＷ１を操作してから所定の停止時間ＤＴ３が経過するまでの間、換気扇を停止させることができるので、寒冷地など入浴中に換気扇が弱風運転することで、入浴中の人が寒さを感じるのを防止でき、使い勝手が向上する。また操作ハンドル３０を１回操作するだけで、停止タイマによるタイマ制御を行った後に、強タイマによるタイマ制御が行われ、タイマ制御が終了すると自動的に弱風運転の状態に戻るので、使い勝手が向上するとともに、ユーザが操作をし忘れて、換気扇ＲＬが停止したままになったり、強風運転状態のまま動作を続けるのを防止できる。なお図８中に波線で示した期間は停止タイマにより換気扇が停止されている期間を示しており、他のタイムチャートでも波線で示した期間は停止タイマによるタイマ制御中の期間を示している。
【００７６】
ここで、停止時間ＤＴ３は一般的な入浴時間よりも十分長い時間（例えば６０分）に設定されるので、停止時間ＤＴ３が経過するよりも前に風呂から上がった場合など強制換気を早めに行わせたい場合があり、図９に示すように停止タイマの限時動作中の時刻ｔ１４においてユーザが操作ハンドル３０を短時間押操作すると、押釦スイッチＳＷ１から制御ＩＣ１００に操作信号（トリガ信号）が入力され、このトリガ入力を受けて制御ＩＣ１００は停止タイマによる限時動作を終了させ、即座に換気扇を強風運転させるとともに、強タイマによる限時動作を開始させているので、所定の停止時間ＤＴ３よりも短い期間ＤＴ４で強タイマ動作に移行させることができ、使い勝手が向上する。
【００７７】
次に図１０（ａ）〜（ｃ）に示すように、切替スイッチＳＷ２の摘み２０を「切」の位置まで回して強タイマ制御を無効とし、切替スイッチＳＷ４の摘み２２を「あり」の位置に動かして停止タイマ制御を有効にした場合の動作について図１１のタイムチャートを参照して説明する。常時は換気扇が弱風運転しており、入浴時（時刻ｔ１９）にユーザが操作ハンドル３０を短時間押操作すると、制御ＩＣ１００は、押釦スイッチＳＷ１からの操作信号入力に応じて換気扇を停止させるとともに、内蔵する停止タイマにより所定の停止時間ＤＴ３の限時動作を開始させる。そして、停止タイマによる限時動作が終了した時刻ｔ２０において制御ＩＣ１００は換気扇を弱風運転させており、その後再び入浴する際（時刻ｔ２１）にユーザが操作ハンドル３０を短時間押操作すると、制御ＩＣ１００は、押釦スイッチＳＷ１からの操作信号入力に応じて換気扇を停止させるとともに、内蔵する停止タイマにより所定の停止時間ＤＴ３の限時動作を開始させる。ここで停止タイマによる限時動作中の時刻ｔ２２において入浴を終える場合などにユーザが操作ハンドル３０を短時間押操作すると、制御ＩＣ１００は、押釦スイッチＳＷ１からの操作信号入力に応じて停止タイマによる限時動作を停止させ、換気扇を弱風運転させており、停止時間ＤＴ３よりも短い期間ＤＴ４で換気扇を弱風運転させ、浴室の湿気を早期に排出することができるので、使い勝手が向上する。また強タイマ制御が不要な場合には、停止タイマによるタイマ制御を行った後に、強風運転動作をスキップして、直接弱運転動作に移行しているので、使用状況に合わせた動作を行わせることができる。また１つの切替スイッチＳＷ２で、強タイマ制御の有効／無効を切り替える操作と強動作継続時間の設定動作が行えるので、強タイマ設定部の構成を簡単にできる。
【００７８】
上述の説明では浴室に設置された換気扇の動作を制御する場合の動作について説明を行ったが、以下ではこの常時換気設備制御用スイッチＡを用いてトイレに設置された換気扇の動作を制御する場合の動作を説明する。トイレ用途で使用する場合は図１２（ｂ）に示すように切替スイッチＳＷ３の摘み２１を「トイレ換気」側にスライドさせており、制御ＩＣ１００は、切替スイッチＳＷ３の設定に応じて、常時は換気扇の風量を弱とし、トイレの使用中は風量を強に切り替え、使用終了時から所望の時間だけ遅れて風量を弱に戻すような制御を行うことで、トイレ使用時に発生する悪臭を短時間で排出するようにしている（このような動作モードを浴室モードという）。
【００７９】
ここで、図１２（ａ）に示すように切替スイッチＳＷ２の摘み２０を「３０分」の位置まで回して、強タイマ制御を有効にするとともに強動作継続時間を３０分に設定した場合の動作について図１３を参照して説明する。常時は換気扇が弱風運転しており、トイレ使用時（時刻ｔ２５）にユーザが操作ハンドル３０を短時間押操作すると、制御ＩＣ１００は、押釦スイッチＳＷ１からの操作信号入力に応じて換気扇を強風運転させる。その後、強風運転中の時刻ｔ２６（トイレの使用を終えた時点）でユーザが操作ハンドル３０を短時間押操作すると、制御ＩＣ１００は、押釦スイッチＳＷ１からの操作信号が入力されたタイミングで、内蔵する強タイマにより所定の強動作継続時間ＤＴ１の限時動作を開始させる。そして、強タイマによる限時動作が終了した時刻ｔ２７において制御ＩＣ１００は換気扇の風量を強から弱に切り替えており、常時は換気扇を弱風運転させている。このようにトイレ用途の場合には使用開始時に操作ハンドル３０を押操作すると、この操作に応じて制御ＩＣ１００が換気扇を強風運転させることで、使用中に発生する悪臭を排出することができる。また使用後に再度操作ハンドル３０を押操作すると、再操作時から強動作継続時間ＤＴ１が経過するまでの間、換気扇ＲＬ１を強風運転させる期間を延長し、強動作継続時間ＤＴ１の経過後に風量を自動的に弱に戻しているので、使用中に発生した悪臭を早期に排出することができ、また手動で風量を強から弱に戻す場合のように操作忘れが発生することがなく、使い勝手が向上する。またトイレを使用する時間はその都度ばらばらなので、使用後に操作ハンドル３０を操作した時点から強タイマによる限時動作を開始させることで、使用中に発生する悪臭を確実に排出することができる。
【００８０】
またメンテナンスなどの目的で換気扇を停止させる場合、時刻ｔ２８において操作ハンドル３０を所定時間（例えば２〜３秒）以上押し続けると、制御ＩＣ１００は押釦スイッチＳＷ１からの操作信号に応じて換気扇ＲＬ１を停止させる（時刻ｔ２９）。その後時刻ｔ３０において操作ハンドル３０が短時間押操作されると、制御ＩＣ１００は押釦スイッチＳＷ１からの操作信号に応じて換気扇を弱風運転させており、換気扇により常時換気が行われる。
【００８１】
ところで、上述のように本実施形態では換気扇の動作表示のための２色の発光ダイオードＬＤ１，ＬＤ２を備え、制御ＩＣ１００が発光ダイオードＬＤ１，ＬＤ２の点灯状態を制御しており、図１４に示すように換気扇が弱風運転している期間ＤＴ１１では橙色の発光ダイオードＬＤ２を連続点灯させ、換気扇が強風運転している期間ＤＴ１２では赤色の発光ダイオードＬＤ１を連続点灯させ、さらに換気扇が停止している期間ＤＴ１５では発光ダイオードＬＤ１，ＬＤ２を消灯させているので、換気扇の運転状態を発光ダイオードＬＤ１，ＬＤ２の点灯状態から容易に判別できる。また制御ＩＣ１００が強タイマ制御を行って換気扇を強風運転させている期間ＤＴ１３では、赤色の発光ダイオードＬＤ１を例えば１秒点灯、１秒消灯の点滅周期で点滅させ、停止タイマ制御を行って換気扇を停止させている期間ＤＴ１４では、橙色の発光ダイオードＬＤ２を例えば０．５秒点灯、１．５秒消灯の点滅周期で点滅させているので、発光ダイオードＬＤ１，ＬＤ２の点滅状態からタイマ制御が行われていることを容易に判別できる。
【００８２】
（実施形態２）
本発明の実施形態２を図１８に基づいて説明する。本実施形態は常時換気設備として強弱タップ切替型の換気扇ＲＬ１を用いるものであり、上述の実施形態１では切替スイッチＳＷ５として３ポジションのスライドスイッチを用い、切替スイッチＳＷ３の切替操作に応じて換気扇の種類を３通りに切り替えているのに対して、本実施形態では切替スイッチＳＷ５として２ポジションのスライドスイッチを用いており、図１８（ａ）に示すように切替スイッチＳＷ５の摘み２８を「Ａ（タップ切替）」側にスライドさせた場合は、同図（ｂ）に示すように弱風運転時にトライアックＴＲＣ１をターンオン、強風運転時にトライアックＴＲＣ２をターンオンさせるとともに、同図（ｃ）に示すように摘み２８を「Ｂ（強弱入替）」側にスライドさせた場合は、同図（ｄ）に示すように弱風運転時にトライアックＴＲＣ２をターンオン、強風運転時にトライアックＴＲＣ１をターンオンさせている。このように切替スイッチＳＷ５の摘み２８の位置を変えることで、弱風運転時又は強風運転時にターンオンさせるトライアックを入れ替えることができるから、換気扇ＲＬ１の強入力端子及び弱入力端子を端子Ｔａ，Ｔｂに間違えて配線した場合でも配線をし直すことなく、切替スイッチＳＷ５の切替操作だけで容易に復旧することができる。なお切替スイッチＳＷ５による制御動作以外は上述した実施形態１と同様であるので、その説明は省略する。
【図面の簡単な説明】
【００８３】
【図１】本実施形態の制御回路ブロックの回路図である。
【図２】同上の負荷開閉制御ブロックおよび電源回路ブロックの回路図である。
【図３】同上の動作を説明するタイミングチャートである。
【図４】同上を示し、（ａ）は使用状態の正面図、（ｂ）（ｃ）は切替スイッチの切替位置の説明図である。
【図５】同上の動作を説明するタイムチャートである。
【図６】同上の別の動作を説明するタイムチャートである。
【図７】同上を示し、（ａ）は使用状態の正面図、（ｂ）〜（ｄ）は切替スイッチの切替位置の説明図である。
【図８】同上の動作を説明するタイムチャートである。
【図９】同上の別の動作を説明するタイムチャートである。
【図１０】同上を示し、（ａ）〜（ｃ）は切替スイッチの切替位置の説明図である。
【図１１】同上の動作を説明するタイムチャートである。
【図１２】同上を示し、（ａ）（ｂ）は切替スイッチの切替位置の説明図である。
【図１３】同上の動作を説明するタイムチャートである。
【図１４】同上の別の動作を説明するタイムチャートである。
【図１５】同上に強弱タップ切替型の換気扇を接続する場合を示し、（ａ）は切替スイッチの切替位置の説明図、（ｂ）は配線図、（ｃ）はタイムチャートである。
【図１６】同上に内蔵リレー切替型の換気扇を接続する場合を示し、（ａ）は切替スイッチの切替位置の説明図、（ｂ）は配線図、（ｃ）はタイムチャートである。
【図１７】同上に別の内蔵リレー切替型の換気扇を接続する場合を示し、（ａ）は切替スイッチの切替位置の説明図、（ｂ）は配線図、（ｃ）はタイムチャートである。
【図１８】同上の別の実施形態を示し、（ａ）（ｃ）は切替スイッチの切替位置を示す説明図、（ｂ）（ｄ）は各々の切替位置での動作を説明するタイムチャートである。
【図１９】同上の分解斜視図である。
【図２０】同上のカバーを開いた状態の外観斜視図である。
【図２１】同上のカバーを閉じた状態の外観斜視図である。
【図２２】同上のカバーを開いた状態の正面図である。
【図２３】（ａ）（ｂ）は同上の操作ハンドルと従来例とを比較した説明図である。
【図２４】従来の換気扇の制御用スイッチを取付枠に取り付けた状態の正面図である。
【符号の説明】
【００８４】
１００  制御ＩＣ
ＳＷ１  押釦スイッチ
ＳＷ２〜ＳＷ５  切替スイッチ
ＬＤ１，ＬＤ２  発光ダイオード
【図１】
2005172403.tif 000003
【図２】
2005172403.tif 000004
【図３】
2005172403.tif 000005
【図４】
2005172403.tif 000006
【図５】
2005172403.tif 000007
【図６】
2005172403.tif 000008
【図７】
2005172403.tif 000009
【図８】
2005172403.tif 000010
【図９】
2005172403.tif 000011
【図１０】
2005172403.tif 000012
【図１１】
2005172403.tif 000013
【図１２】
2005172403.tif 000014
【図１３】
2005172403.tif 000015
【図１４】
2005172403.tif 000016
【図１５】
2005172403.tif 000017
【図１６】
2005172403.tif 000018
【図１７】
2005172403.tif 000019
【図１８】
2005172403.tif 000020
【図１９】
2005172403.tif 000021
【図２０】
2005172403.tif 000022
【図２１】
2005172403.tif 000023
【図２２】
2005172403.tif 000024
【図２３】
2005172403.tif 000025
【図２４】
2005172403.tif 000026